(57)【要約】【課題】無線通信処理ユニットの運用を開始する以前に、無線通信処理ユニットの誤稼動を防止することが可能な改札機、改札システム、及び、改札方法を提供することを目的とする。【解決手段】  無線通信を行うためのアンテナ部１１３を介して無線通信可能な券媒体との間で無線通信を行い券媒体から改札処理に必要な改札情報を読み取る通信部１１１を備えた無線通信処理ユニット１１０と、通信部１１１により読み取られた改札情報に基づいて改札処理を行うＣＰＵ６０と、無線通信処理ユニット１１０への電源の供給または供給停止を切り替える機械的なスイッチＳＷと、を備えたことを特徴とする。【選択図】      図３
2006260414.tif 000002
【特許請求の範囲】
【請求項１】
無線通信を行うためのアンテナ部を介して無線通信可能な券媒体との間で無線通信を行い、この無線通信において券媒体から改札処理に必要な改札情報を読み取る通信手段と、
前記通信手段により読み取られた改札情報に基づいて改札処理を行う改札手段と、
前記通信手段への電源の供給または供給停止を切り替える機械的なスイッチと、
を備えたことを特徴とする改札機。
【請求項２】
投入口から投入された券媒体から改札処理に必要な改札情報を読み取る読取手段を備えた磁気処理ユニットと、
無線通信を行うためのアンテナ部を介して無線通信可能な券媒体との間で無線通信を行い、この無線通信において券媒体から改札情報を読み取る通信手段を備えた無線通信処理ユニットと、
前記読取手段または前記通信手段により読み取られた改札情報に基づいて改札処理を行う改札手段と、
前記無線通信処理ユニットへの電源の供給または供給停止を切り替える機械的なスイッチと、
前記スイッチによる前記無線通信処理ユニットへの電源の供給停止に基づき、前記磁気処理ユニットによる改札処理を可能とする制御手段と、
を備えたことを特徴とする改札機。
【請求項３】
改札機及び改札機を監視する監視装置を含む改札システムであって、
無線通信を行うためのアンテナ部を介して無線通信可能な券媒体との間で無線通信を行い、この無線通信において券媒体から改札処理に必要な改札情報を読み取る通信手段と、
前記通信手段により読み取られた改札情報に基づいて改札処理を行う改札手段と、
改札機に設けられ、前記通信手段への電源の供給または供給停止を切り替える機械的なスイッチと、
前記スイッチによる前記通信手段への電源供給状態を監視装置に向けて通知する通知手段と、
監視装置に設けられ、前記通知手段により通知された前記通信手段への電源供給状態を報知する報知手段と、
を備えたことを特徴とする改札システム。
【請求項４】
さらに、前記通信手段による改札処理を可能とする期日を記憶した記憶手段と、
前記記憶手段に記憶された期日に、前記スイッチにより前記通信手段への電源の供給が停止されているのに基づいて、前記報知手段に警告を発生させる警告手段と、
を備えたことを特徴とする請求項３に記載の改札システム。
【請求項５】
さらに、前記通信手段による改札処理を可能とする期日を記憶した記憶手段と、
前記記憶手段に記憶された期日以前に、前記スイッチにより前記通信手段への電源が供給されているのに基づいて、前記報知手段に警告を発生させる警告手段と、
を備えたことを特徴とする請求項３に記載の改札システム。
【請求項６】
投入口から投入された券媒体から改札処理に必要な改札情報を読み取る読取手段を備えた磁気処理ユニットと、
無線通信を行うためのアンテナ部を介して無線通信可能な券媒体との間で無線通信を行い、この無線通信において券媒体から改札情報を読み取る通信手段を備えた無線通信処理ユニットと、
前記読取手段または前記通信手段により読み取られた改札情報に基づいて改札処理を行う改札手段と、
前記無線通信処理ユニットへの電源の供給または供給停止を切り替える機械的なスイッチと、を備えた改札機に適用される改札方法であって、
前記スイッチによる前記無線通信処理ユニットへの電源の供給停止に基づき、前記磁気処理ユニットと前記無線通信処理ユニットとの切り離し処理を行い、
前記投入口からの券媒体の投入を可能とし、投入された券媒体により前記磁気処理ユニットによる改札処理を行う、ことを特徴とする改札方法。
【請求項７】
無線通信を行うためのアンテナ部を介して無線通信可能な券媒体との間で無線通信を行い、この無線通信において券媒体から改札処理に必要な改札情報を読み取る通信手段と、
前記通信手段により読み取られた改札情報に基づいて改札処理を行う改札手段と、
前記通信手段への電源の供給または供給停止を切り替える機械的なスイッチと、を備えた改札機に適用される改札方法であって、
前記スイッチによる前記通信手段への電源供給状態を監視装置に向けて通知し、
前記通信手段による改札処理を可能とする期日に通知された電源供給状態を参照し、
前記スイッチにより前記通信手段への電源の供給が停止されているのに基づいて、警告を発生する、ことを特徴とする改札方法。
【請求項８】
無線通信を行うためのアンテナ部を介して無線通信可能な券媒体との間で無線通信を行い、この無線通信において券媒体から改札処理に必要な改札情報を読み取る通信手段と、
前記通信手段により読み取られた改札情報に基づいて改札処理を行う改札手段と、
前記通信手段への電源の供給または供給停止を切り替える機械的なスイッチと、を備えた改札機に適用される改札方法であって、
前記スイッチによる前記通信手段への電源供給状態を監視装置に向けて通知し、
前記通信手段による改札処理を可能とする期日以前に通知された電源供給状態を参照し、
前記スイッチにより前記通信手段への電源が供給されているのに基づいて、警告を発生する、ことを特徴とする改札方法。
【発明の詳細な説明】
【技術分野】
【０００１】
この発明は、改札機、改札システム、及び、改札方法に係り、特に、券媒体との間で無線通信を行う無線通信処理ユニットへの電源供給制御に関する。
【背景技術】
【０００２】
近年、改札処理の省力化を目的として、改札機が導入されている。この改札機は、利用者が駅構内や遊戯施設などの施設内に入場する場合や、施設内から出場する場合などに、入場券、プリペイドカード、定期券、乗車券などの磁気式の券媒体を取り込み、券媒体に磁気記録された改札情報に基づいて利用者の通行を許可するか否かの改札処理を行う。取り込んだ券媒体は、必要に応じて返却または回収される。
【０００３】
また、近年では、磁気式の券媒体のほかに無線式の券媒体を取り扱う改札機が導入されている。このような無線式対応の改札機は、券媒体との間で無線通信を行い、券媒体から読み取った改札情報に基づいて利用者の通行を許可するか否かの改札処理を行う（例えば、特許文献１参照。）。
【特許文献１】特開平１１−０４５３６０号公報
【発明の開示】
【発明が解決しようとする課題】
【０００４】
無線式の券媒体を取り扱うことが可能な無線通信処理ユニットを搭載した改札機を導入した際、無線通信処理ユニットの運用を開始する期日以前においては、改札機のソフトウェア上でのスイッチやパラメータを制御することにより無線通信処理ユニットによる改札処理を不可とし、磁気式の券媒体を取り扱うことが可能な磁気処理ユニットのみを稼動している。
【０００５】
しかしながら、無線通信処理ユニットへの電源の供給が停止していないため、ソフトウェア上のスイッチやパラメータの設定ミスにより無線通信処理ユニットが誤って稼動してしまうおそれがある。つまり、無線通信処理ユニットの運用を開始する以前に無線式の券媒体が使用可能となってしまい、不具合を招くおそれがある。
【０００６】
この発明は、上述した問題点に鑑みなされたものであって、その目的は、無線通信処理ユニットの運用を開始する以前に、無線通信処理ユニットの誤稼動を防止することが可能な改札機、改札システム、及び、改札方法を提供することにある。
【課題を解決するための手段】
【０００７】
この発明の第１の態様による改札機は、
無線通信を行うためのアンテナ部を介して無線通信可能な券媒体との間で無線通信を行い、この無線通信において券媒体から改札処理に必要な改札情報を読み取る通信手段と、
前記通信手段により読み取られた改札情報に基づいて改札処理を行う改札手段と、
前記通信手段への電源の供給または供給停止を切り替える機械的なスイッチと、
を備えたことを特徴とする。
【０００８】
この発明の第２の態様による改札システムは、
改札機及び改札機を監視する監視装置を含む改札システムであって、
無線通信を行うためのアンテナ部を介して無線通信可能な券媒体との間で無線通信を行い、この無線通信において券媒体から改札処理に必要な改札情報を読み取る通信手段と、
前記通信手段により読み取られた改札情報に基づいて改札処理を行う改札手段と、
改札機に設けられ、前記通信手段への電源の供給または供給停止を切り替える機械的なスイッチと、
前記スイッチによる前記通信手段への電源供給状態を監視装置に向けて通知する通知手段と、
監視装置に設けられ、前記通知手段により通知された前記通信手段への電源供給状態を報知する報知手段と、
を備えたことを特徴とする。
【０００９】
この発明の第３の態様による改札方法は、
投入口から投入された券媒体から改札処理に必要な改札情報を読み取る読取手段を備えた磁気処理ユニットと、
無線通信を行うためのアンテナ部を介して無線通信可能な券媒体との間で無線通信を行い、この無線通信において券媒体から改札情報を読み取る通信手段を備えた無線通信処理ユニットと、
前記読取手段または前記通信手段により読み取られた改札情報に基づいて改札処理を行う改札手段と、
前記無線通信処理ユニットへの電源の供給または供給停止を切り替える機械的なスイッチと、を備えた改札機に適用される改札方法であって、
前記スイッチによる前記無線通信処理ユニットへの電源の供給停止に基づき、前記磁気処理ユニットと前記無線通信処理ユニットとの切り離し処理を行い、
前記投入口からの券媒体の投入を可能とし、投入された券媒体により前記磁気処理ユニットによる改札処理を行う、ことを特徴とする。
【発明の効果】
【００１０】
この発明によれば、無線通信処理ユニットの運用を開始する以前に、無線通信処理ユニットの誤稼動を防止することが可能な改札機、改札システム、及び、改札方法を提供することができる。
【発明を実施するための最良の形態】
【００１１】
以下、この発明の一実施の形態に係る改札機、改札システム、及び、改札方法について図面を参照して説明する。  
図１に示すように、この実施の形態に係る改札システムは、監視装置として機能するホストコンピュータ１０を備えている。このホストコンピュータ１０は、駅に設置された複数の改札機１００−１、１００−２…と通信回線２０を介して接続されており、これらの改札機１００を監視する。
【００１２】
ホストコンピュータ１０は、装置全体を制御するとともに下位に接続された各種機器を制御するものであって、複数の改札機１００を統括して制御する制御手段として機能するとともに必要に応じて警告を発生させる警告手段として機能するＣＰＵ１１を有している。このＣＰＵ１１には、メモリ部１２、表示部１３、入力部１４、通信制御部１５などが接続されている。
【００１３】
メモリ部１２は、ホストコンピュータ１０自体及び改札機１００などの下位の機器を制御するための制御データなどの各種データを記憶した記憶手段として機能する。表示部１３は、ホストコンピュータ１０自体の動作状態、下位の機器の動作状態などを表示することによって係員に報知する報知手段として機能する。なお、これらの動作状態などを音声によって係員に報知する報知手段として、音声出力部を設けても良い。
【００１４】
入力部１４は、各改札機１００の動作モードなど種々の情報を入力するためのキーボードや、接触を検知したのに基づいて対応する情報を出力するタッチパネルなどを有している。通信制御部１５は、下位の機器との間で通信回線２０を介して種々の情報の送受信を行う。
【００１５】
次に、図１に示した改札システムに適用可能な改札機１００の構成について説明する。図２に示すような改札機は、通常、２台１組として設置され、両者の間に利用者が通行可能な改札通路が形成される。入場処理や出場処理どの改札処理を行う改札機で利用可能な券媒体としては、普通乗車券、定期券、特急券、回数券、入場券、プリペイドカードなどの磁気式及び無線式の券媒体を対象としている。
【００１６】
これら券媒体は、改札処理に必要な改札情報、例えば、利用可能な区間情報、有効期限情報、入場記録情報、出場記録情報、利用者情報などを有している。このような改札情報は、磁気式券媒体では、その券面の磁気記録層に所定形式で磁気記録されており、また、無線式券媒体では、そのメモリ部に所定形式で記憶されている。
【００１７】
すなわち、図２に示すように、改札機１００は、筐体１を備えている。筐体１は、投入口２、排出口３、表示部４、ドア機構５、フレーム６、人間検知センサ７、表示器８、無線通信処理ユニット１１０などを備えている。
【００１８】
投入口２は、筐体１における通行方向上流側に設けられ、施設内への入場時または施設内からの出場時に投入された券媒体を受け取り可能である。投入口２の近傍には、券媒体の投入を阻止するためのシャッタが設けられている。また、排出口３は、筐体１における通行方向下流側に設けられ、投入口２から受け取った券媒体を必要に応じて排出する。
【００１９】
表示部４は、利用者の通行方向に対して筐体１における排出口３の前方に配置され、利用者や係員などに対して種々の案内情報を表示する。ドア機構５は、筐体１における改札通路側の側面の両端部に配置され、利用者の通行を制御するために開閉可能に構成されている。このドア機構５は、利用者の通行を可能とする場合に改札通路を開放し、また、利用者の通行を阻止する場合に改札通路を閉鎖する。
【００２０】
フレーム６は、筐体１の上部に設けられ、改札通路を規定するための仕切りとなる。複数の人間検知センサ７は、筐体１及びフレーム６の改札通路側における側面部に配置され、利用者の通行を検知するための出力信号を出力する。表示器８は、フレーム６に配置され、小児券、無効券、または異常券の投入や、機器の異常など装置の動作状態を報知する。
【００２１】
無線通信処理ユニット１１０は、筐体１における通行方向上流側に配置され、無線式券媒体との間で無線通信を行う。
【００２２】
図３に示すように、改札機は、装置全体の制御を司るＣＰＵ６０を備えている。このＣＰＵ６０は、券媒体が有する改札情報に基づいて改札処理を行う改札手段及び改札機を構成する各機構の駆動を制御する制御手段として機能する。
【００２３】
このＣＰＵ６０には、メモリ部６１、表示制御回路６２、ドア制御回路６３、通過検知回路６４、表示器制御回路６５、音声出力制御回路６６などが接続されている。
【００２４】
メモリ部６１は、ＲＯＭ、ＲＡＭ、運賃メモリなどを含んでいる。ＲＯＭは、ＣＰＵ６０の制御プログラムなどを記憶している。ＲＡＭは、制御プログラムのバッファとして情報を記憶するとともに、券媒体から読み取った情報などの各種情報を記憶する。運賃メモリは、入場駅（から設置駅まで）に対応した運賃情報を記憶している。
【００２５】
表示制御回路６２は、操作案内や改札処理の結果に対応した画像を表示するように表示部４を制御する。ドア制御回路６３は、改札処理の結果に対応して改札通路を開閉するようにドア機構５の駆動を制御する。通過検知回路６４は、人間検知センサ７からの出力信号に基づいて利用者の通過（移動位置）を検知する。表示器制御回路６５は、改札機の動作状態などに応じたパターンで点灯するように表示器８を制御する。音声出力制御回路６６は、操作案内や改札処理の結果に対応した音声を出力するようにスピーカ８０を駆動する。
【００２６】
また、ＣＰＵ６０には、磁気式の券媒体を処理する磁気処理ユニット６７、無線式の券媒体を処理する無線通信処理ユニット１１０などが接続されている。
【００２７】
磁気処理ユニット６７は、シャッタ開閉機構３０、検知器３１、搬送機構３２、読取ヘッド３３、書込ヘッド３４、印刷機構３５、入鋏機構３６などを備えている。
【００２８】
シャッタ開閉機構３０は、投入口２に設けられたシャッタを駆動して、券媒体の投入口２への投入を許可または阻止する。検知器３１は、投入口２から排出口３までの間に規定される搬送経路上に設けられ、投入口２での券媒体の投入状態や、排出口３での券媒体の抜き取り、搬送経路上での券媒体の搬送状態などを検知する。搬送機構３２は、券媒体を搬送経路に沿って搬送する。読取ヘッド３３は、券媒体の磁気記録層に記録されている改札情報を読み取る読取手段として機能する。書込ヘッド３４は、券媒体の磁気記録層に対して必要に応じて所定の磁気情報を記録する。印刷機構３５は、券媒体に対して必要に応じて日付や改札場所名等の所定の情報を印刷する。入鋏機構３６は、券媒体に対して必要に応じて穿孔を形成する。
【００２９】
無線通信処理ユニット１１０は、通信部１１１、表示部１１２などを備えている。通信部１１１は、券媒体に記憶された改札情報を読み取る通信手段として機能する。この通信部１１１は、券媒体と無線通信を行うための動作磁界を発生するアンテナ部１１３、アンテナ部１１３を介して送信するデータの変調及びアンテナ部１１３を介して受信したデータの復調を行うデータ処理部１１４などを備えている。表示部１１２は、アンテナ部１１３の周囲に配置され、無線通信処理ユニット１１０の動作状態に対応した種々のパターンで表示可能である。
【００３０】
つまり、無線通信処理ユニット１１０は、アンテナ部１１３を介して券媒体と交信し、データ処理部１１４を制御することにより、券媒体に記憶された改札情報に対応したデータを読み取ったり（券媒体から送信されたデータを受信したり）、券媒体に対して所定情報に対応したデータを書き込んだり（券媒体に対してデータを送信したり）する。
【００３１】
ＣＰＵ６０は、利用者が所持する各種券媒体からこれらの磁気処理ユニット６７及び無線通信処理ユニット１１０を介して読み取った改札情報に基づいて改札処理を行い、利用者の改札通路の通行を許可できるか否かの判定を行う。
【００３２】
さらに、ＣＰＵ６０には、電源制御回路６８、通信制御部６９などが接続されている。
【００３３】
電源制御回路６８は、改札機１００に電源を供給する電源ユニットＰと接続されており、改札機１００の各ユニットに必要な電源を供給する。この電源制御回路６８は、無線通信処理ユニット１１０（少なくとも通信部１１１）への電源の供給または供給停止を切り替える機械的なスイッチＳＷを備えている。
【００３４】
すなわち、電源制御回路６８は、スイッチＳＷをオンした状態では、無線通信処理ユニット１１０へ電源を供給する。また、電源制御回路６８は、スイッチＳＷをオフした状態では、無線通信処理ユニット１１０への電源の供給を停止する。なお、このとき、電源制御回路６８は、他のユニット、例えば、磁気処理ユニット６７などへ電源を供給することは可能である。
【００３５】
ＣＰＵ６０は、スイッチＳＷの設定（オンまたはオフ）による無線通信処理ユニット１１０への電源供給状態に基づき、各種ユニットの切り離し処理または接続処理を行う制御手段として機能する。すなわち、ＣＰＵ６０は、スイッチＳＷをオンした設定においては、無線通信処理ユニット１１０の接続処理を行い、無線通信処理ユニット１１０による無線式の券媒体との無線通信を可能とする（つまり、無線式の券媒体による改札処理を可能とする）。また、ＣＰＵ６０は、スイッチＳＷをオフした設定において、磁気処理ユニット６７への電源が供給されている状態においては、無線通信処理ユニット１１０の切り離し処理を行い、無線通信処理ユニット１１０による無線通信を不可能とする一方で、磁気処理ユニット６７による磁気式の券媒体による改札処理を可能とする。
【００３６】
通信制御部６９は、ＣＰＵ６０の制御に基づき、改札機１００より上位の機器、例えばホストコンピュータ１０との間で情報通信を行う。また、通信制御部６９は、ＣＰＵ６０の制御に基づき、上位の機器に対してスイッチＳＷによる無線通信処理ユニット１１０への電源供給状態を通知する通知手段として機能する。
【００３７】
図４に示すように、無線式の券媒体Ｃは、無線通信処理ユニット１１０の通信部１１１との間での無線通信を制御するＣＰＵ２０１、ＣＰＵ２０１に対して駆動電源を供給する電源２０２などを備えている。このＣＰＵ２０１には、ＲＯＭやＲＡＭなどで構成されたメモリ部２０３、アンテナ２０４を介して通信部１１１から送信されたデータを受信したり、通信部１１１に対してデータを送信したりする通信制御部２０５などが接続されている。
【００３８】
図５に示すように、通信部１１１は、アンテナ部１１３を介して、無線式の券媒体Ｃに対して一定時間の間隔でポーリングコマンド信号を発信している。利用者が券媒体Ｃをアンテナ部１１３にかざすと、無線通信によるデータのやり取りが開始される。つまり、このポーリングコマンド信号に対して、券媒体Ｃから返信信号が通信部１１１に向けて送信される（ポーリングレスポンス）。
【００３９】
そして、通信部１１１からアンテナ部１１３を介して券媒体Ｃに対して改札情報を含むデータの送信を要求する（リードコマンド）。券媒体Ｃの通信制御部２０５は、アンテナ２０４を介して通信部１１１からのデータ送信要求を受信したのに基づいて、ＣＰＵ２０１の制御に基づきメモリ部２０３に記憶していた改札情報を含むデータをアンテナ２０４を介して通信部１１１に向けて送信する（リードレスポンス）。
【００４０】
通信部１１１がアンテナ部１１３を介して無線式券媒体Ｃからデータを受信したのに基づき、改札機におけるＣＰＵ６０は、受信したデータ（無線通信装置による通信結果）に基づいて改札処理を行う（判定）。そして、通信部１１１は、アンテナ部１１３を介してＣＰＵ６０における改札処理の結果に相当する判定結果情報を含むデータを券媒体Ｃに送信する（判定結果送信、ライトコマンド）。
【００４１】
その後、券媒体Ｃの通信制御部２０５は、アンテナ２０４を介して通信部１１１から送信されたライトコマンドを受信したのに基づいて、ＣＰＵ２０１の制御に基づきメモリ部２０３に受信したデータを記憶する。そして、通信制御部２０５は、アンテナ２０４を介して通信部１１１に向けてデータが正常に書き込まれ一連の改札処理が完了したことを通知する（ライトレスポンス）。
【００４２】
その後、通信部１１１は、券媒体Ｃからライトレスポンスを受信したのに基づいて、券媒体Ｃに対して処理を終了するためのクローズコマンドを送信する。券媒体Ｃは、通信部１１１からのクローズコマンドを受信したのに基づいて、通信部１１１に対してクローズレスポンスを送信する。通信部１１１は、券媒体Ｃからクローズレスポンスを受信したのに基づいて、改札機におけるＣＰＵ６０に対して一連の処理が正常に終了した旨を通知する。
【００４３】
このようなデータのやり取りにより、券媒体Ｃと改札機１００における無線通信処理ユニット１１０との間で改札処理に必要な改札情報の無線通信が行われる。
【００４４】
次に、上述した改札機１００及びこの改札機１００とホストコンピュータ１０とを含む改札システムにおける運用例について説明する。
【００４５】
（第１実施形態）  
係員の手動操作によりスイッチＳＷがオンに設定された場合、電源ユニットＰから供給された電源が無線通信処理ユニット１１０に供給される。図６に示すように、ＣＰＵ６０は、所定のタイミングにおいて、電源制御回路６８を制御し、スイッチＳＷの設定状態すなわちスイッチＳＷによる無線通信処理ユニット１１０への電源の供給状態を確認する（ＳＴ１１）。
【００４６】
ＣＰＵ６０は、電源制御回路６８からスイッチＳＷがオンである旨の通知を受けたのに基づいて（ＳＴ１１、ＹＥＳ）、電源制御回路６８を介して無線通信処理ユニット１１０に電源が供給されているか否かを確認する（ＳＴ１２）。ＣＰＵ６０は、電源制御回路６８を介した電源の供給を確認したのに基づいて（ＳＴ１２、ＹＥＳ）、無線通信処理ユニット１１０の接続処理を行う（ＳＴ１３）。これにより、改札機１００においては、無線通信処理ユニット１１０による無線式の券媒体による改札処理を可能とする。
【００４７】
また、ＣＰＵ６０は、電源制御回路６８を介した電源の供給が停止していることを確認したのに基づいて（ＳＴ１２、ＮＯ）、スイッチＳＷがオンに設定されているにもかかわらず無線通信処理ユニット１１０に正常に電源が供給されていないと判断して、改札機１００に異常が生じた旨の警告を発生する（ＳＴ１４）。この警告発生は、表示部４、表示器８、及び、スピーカ８０を用いて行っても良いし、通信制御部６９を介して上位機器に対して行っても良い。
【００４８】
一方、係員の手動操作によりスイッチＳＷがオフに設定された場合、電源ユニットＰから無線通信処理ユニット１１０への電源供給が停止される。ＣＰＵ６０は、所定のタイミングにおいて、電源制御回路６８を制御し、スイッチＳＷの設定状態を確認し（ＳＴ１１）、電源制御回路６８からスイッチＳＷがオフである旨の通知を受けたのに基づいて（ＳＴ１１、ＮＯ）、無線通信処理ユニット１１０の切り離し処理を行う（ＳＴ１５）。すなわち、ＣＰＵ６０は、無線通信処理ユニット１１０に電源が供給されていなくても、異常であるとは判断せず、警告の発生も行わない。
【００４９】
また、ＣＰＵ６０は、このような切り離し処理を行った際に、磁気処理ユニット６７への電源が供給されている状態においては、無線通信処理ユニット１１０による無線通信を不可能とする一方で、磁気処理ユニット６７による磁気式の券媒体による改札処理を可能とする。つまり、投入口２から磁気式の券媒体を投入可能とし、投入された券媒体の改札情報に基づいて改札処理を行う。
【００５０】
このような第１実施形態によれば、係員の手動操作によりスイッチＳＷのオン／オフが設定され、これに対応して無線通信処理ユニット１１０への電源の供給または供給停止といった電源供給状態を切り替えることが可能となる。このため、無線通信処理ユニット１１０の運用を開始する以前においてスイッチをオフに設定することにより、無線通信処理ユニット１１０への電源の供給が停止される。これにより、仮にソフトウェア上のスイッチやパラメータの設定ミスが生じたとしても、無線通信処理ユニット１１０の誤稼動を防止することができる。したがって、無線通信処理ユニット１１０の運用を開始する以前に無線式券媒体が使用可能となることはなく、これに伴った不具合の発生を抑制することが可能となる。
【００５１】
また、無線通信処理ユニット１１０が故障した際にも、スイッチＳＷをオフに設定することにより、切り離し処理がなされ、正常に稼動する磁気処理ユニット６７による改札処理を可能とすることができる。さらに、無線通信処理ユニット１１０の使用頻度の少ないタイミングなどにおいては、スイッチＳＷをオフに設定することにより、切り離し処理がなされ、消費電力を低減することができる。
【００５２】
（第２実施形態）  
第２実施形態に係る改札システムにおいては、ホストコンピュータ１０のメモリ部１２は、監視対象の改札機１００における無線通信処理ユニット１１０による改札処理を可能とする期日（運用開始期日）に対応した情報を記憶している。
【００５３】
すなわち、図７に示すように、ホストコンピュータ１０のＣＰＵ１１は、メモリ部１２に記憶した運用開始期日に基づき、運用開始期日以前の所定のタイミングにおいて、改札機１００におけるスイッチＳＷの設定状態を確認する（ＳＴ２１）。このとき、ＣＰＵ１１は、改札機１００に対してスイッチＳＷの設定状態を通知する旨の要求を送信する。そして、改札機１００のＣＰＵ６０は、ホストコンピュータ１０からの要求に基づき、電源制御回路６８を制御し、スイッチＳＷの設定状態を確認する。そして、ＣＰＵ６０は、通信制御部６９を制御して、スイッチＳＷの設定状態をホストコンピュータ１０に通知する。
【００５４】
ＣＰＵ１１は、改札機１００からスイッチＳＷがオフである旨の通知を受けたのに基づいて（ＳＴ２１、ＹＥＳ）、正常な設定であると判断する（ＳＴ２２）。これに対して、ＣＰＵ１１は、改札機１００からスイッチＳＷがオンである旨の通知を受けたのに基づいて（ＳＴ２１、ＮＯ）、警告を発生する（ＳＴ２３）。
【００５５】
つまり、運用開始期日以前においては、無線通信処理ユニット１１０に電源を供給しないようにスイッチＳＷがオフに設定されていることが正常な設定であり、スイッチＳＷがオンに設定されている場合には、無線通信処理ユニット１１０が誤稼動するおそれがある。このため、ＣＰＵ１１は、表示部１３を制御して、監視対象の改札機１００において誤った設定がなされている旨の警告を発生させる。
【００５６】
また、図８に示すように、ホストコンピュータ１０のＣＰＵ１１は、メモリ部１２に記憶した運用開始期日に基づき、運用開始期日の所定のタイミングにおいて、改札機１００におけるスイッチＳＷの設定状態を確認する（ＳＴ３１）。このとき、ＣＰＵ１１は、改札機１００に対してスイッチＳＷの設定状態を通知する旨の要求を送信する。そして、改札機１００のＣＰＵ６０は、ホストコンピュータ１０からの要求に基づき、電源制御回路６８を制御し、スイッチＳＷの設定状態を確認する。そして、ＣＰＵ６０は、通信制御部６９を制御して、スイッチＳＷの設定状態をホストコンピュータ１０に通知する。
【００５７】
ＣＰＵ１１は、改札機１００からスイッチＳＷがオンである旨の通知を受けたのに基づいて（ＳＴ３１、ＹＥＳ）、正常な設定であると判断する（ＳＴ３２）。これに対して、ＣＰＵ１１は、改札機１００からスイッチＳＷがオフである旨の通知を受けたのに基づいて（ＳＴ３１、ＮＯ）、警告を発生する（ＳＴ３３）。
【００５８】
つまり、運用開始期日においては、無線通信処理ユニット１１０に電源を供給するようにスイッチＳＷがオンに設定されていることが正常な設定であり、スイッチＳＷがオフに設定されている場合には、無線通信処理ユニット１１０が正常に稼動しない。このため、ＣＰＵ１１は、表示部１３を制御して、監視対象の改札機１００において誤った設定がなされている旨の警告を発生させる。
【００５９】
このような第２実施形態によれば、上述した第１実施形態によって得られる効果に加えて、無線通信処理ユニット１１０の運用開始期日以前において、スイッチＳＷの設定状態を確認することにより、誤った設定状態（つまり、スイッチＳＷがオンの設定状態）の場合に、誤った運用をしている旨の警告を発生することが可能となる。また、無線通信処理ユニット１１０の運用開始期日において、スイッチＳＷの設定状態を確認することにより、誤った設定状態（つまり、スイッチＳＷがオフの設定状態）の場合に、誤った運用をしている旨の警告を発生することが可能となる。このため、無線通信処理ユニット１１０の誤稼動を抑制することが可能となる。
【００６０】
なお、この発明は、上記実施形態そのままに限定されるものではなく、その実施の段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【００６１】
【図１】図１は、この発明の一実施の形態に係る改札システムの構成を概略的に示す図である。
【図２】図２は、この発明の一実施の形態に係る改札機の外観を概略的に示す斜視図である。
【図３】図３は、図２に示した改札機の制御系の構成を概略的に示すブロック図である。
【図４】図４は、図２に示した改札機による改札処理対象としての無線式の券媒体の構成を概略的に示す図である。
【図５】図５は、無線式の券媒体と改札機との無線通信による信号のやりとりを説明するための図である。
【図６】図６は、第１実施形態に係る改札機の改札方法を説明するためのフローチャートである。
【図７】図７は、第２実施形態に係る改札システムの改札方法を説明するためのフローチャートである。
【図８】図８は、第２実施形態に係る改札システムの他の改札方法を説明するためのフローチャートである。
【符号の説明】
【００６２】
１…改札機筐体、１０…ホストコンピュータ、１１…ＣＰＵ、１２…メモリ部、６０…ＣＰＵ、６１…メモリ部、６７…磁気処理ユニット、６８…電源制御回路、６９…通信制御部、１００…無線通信処理ユニット、１１１…通信部、１１３…アンテナ部、１１４…データ処理部、ＳＷ…スイッチ、Ｃ…無線式券媒体
【図１】
2006260414.tif 000003
【図２】
2006260414.tif 000004
【図３】
2006260414.tif 000005
【図４】
2006260414.tif 000006
【図５】
2006260414.tif 000007
【図６】
2006260414.tif 000008
【図７】
2006260414.tif 000009
【図８】
2006260414.tif 000010